(57)【要約】【課題】ＨＴＭＬ電子メールが読める環境下であれば、場所を問わず詳細な分析結果を確認できるようにする。【解決手段】データ処理装置１２において、ＬＣ１１より収集されたデータに基づいてクロマトグラムが作成されると画像ファイル作成部１３がPNGファイルを作成し、画像ファイル登録処理部１５はそのファイルをＷＥＢサーバ２の画像ファイル保存部２１に格納する。HTMLファイル作成部１４は分析結果のレポートを上記画像が埋め込まれたHTML文書で作成し、電子メール送信処理部１６がそのHTML文書を電子メールで所定アドレスに送信する。この電子メールを受信したクライアント端末６で電子メールが開かれると、ＷＥＢサーバ２から画像がダウンロードされて該画像が貼り付けられた分析結果レポートが表示される。【選択図】図１
2008005072.tif 000002
【特許請求の範囲】
【請求項１】
相互に通信可能なネットワークに接続され、各種の分析機器により収集されたデータを処理して分析結果を得る機器分析用データ処理システムであって、
a)分析結果のレポートをＨＴＭＬ文書として作成するレポート作成手段と、
b)前記ＨＴＭＬ文書に埋め込まれている画像データを登録しておくとともに前記ネットワークを介したアクセスに応じて前記画像データを送出する画像データ保存手段と、
c)前記ＨＴＭＬ文書を電子メールとして予め決められた電子メールアドレスに宛てて送信する電子メール送信手段と、
を備え、前記ネットワークを介して前記電子メールを受信したクライアント端末において該電子メールを閲覧する際に前記画像データ保存手段からの画像データのダウンロードにより画像データの埋め込まれた分析結果のレポートを閲覧可能としたことを特徴とする機器分析用データ処理システム。
【請求項２】
前記分析機器はクロマトグラフ分析装置であって、前記画像データはクロマトグラムであることを特徴とする請求項１に記載の機器分析用データ処理システム。
【請求項３】
前記画像データはベクトル画像データファイルであることを特徴とする請求項１に記載の機器分析用データ処理システム。
【発明の詳細な説明】
【技術分野】
【０００１】
本発明は、クロマトグラフ分析装置、質量分析装置、分光光度計などの各種分析機器で収集されたデータを処理して分析結果を取得する機器分析用データ処理システムに関する。
【背景技術】
【０００２】
近年、ガスクロマトグラフ、液体クロマトグラフ、質量分析装置などの各種の分析機器の制御やデータ処理には汎用のパーソナルコンピュータ（ＰＣ）が利用されることが多い。即ち、汎用のＰＣに専用の制御／処理ソフトウエアをインストールしてこれをＰＣ上で実行することにより、目的とする分析機器の制御やデータ処理が達成されるようになっている。例えば液体クロマトグラフでは、分析によりクロマトグラムデータが得られるから、データ処理装置ではこのデータに基づいてクロマトグラムを作成し、クロマトグラムに対するデータ処理を行うことで定性分析や定量分析を行う。こうしたデータ処理により得られる分析結果は、そのデータ処理が実行されたＰＣ上で確認することができるほか、クライアントサーバ型の構成の場合には、他のＰＣ（クライアント端末）上でも同じ分析結果を閲覧することができる。こうした閲覧を可能とするためには、基本的に、専用の制御／処理ソフトウエアがそのＰＣにインストールされていることが前提である。
【０００３】
液体クロマトグラフの自動分析などでは、分析の開始から終了までに長い時間が掛かることも多く、例えば夜間などに殆ど無人状態で分析動作を実行させる場合もある。そのため、分析実行中に分析担当者が分析装置の傍を離れたり外出したりすることも多い。そうした場合に、上述のようなクライアントサーバ構成に含まれない外部のＰＣで分析結果を確認したいという要望も多いものの、通常、そうしたＰＣには専用の制御／処理ソフトウエアがインストールされておらず、さらに、外部のＰＣからネットワークを介してデータ処理装置に接続して分析結果にアクセスすることはセキュリティの点で問題がある。そのため、従来、通常のＰＣさえ在れば、どこでも上記のような分析結果を確認できるという環境は整えられていない。
【０００４】
一方、従来、電子メールの機能を利用して分析に関わる各種情報を予め決められたクライアントに知らせることは行われている。例えば特許文献１、２、３などに記載の装置では、分析装置に電子メールの送信機能を組み込み、分析終了時点や何らかのトラブルが発生した時点などに自動的にそうした状況を知らせる電子メールを作成し、予め設定されている電子メールアドレスに送信するようになっている。このような電子メールの機能を利用することにより、分析結果の情報も送信可能であって、電子メールの受信が可能である環境でありさえすれば分析結果の確認が行える。
【０００５】
しかしながら、こうした従来の装置では、例えば特許文献１の図３及び段落[0016]-[0017]に開示されているように簡単な分析結果の通知は行えるものの、データ処理装置で確認することができるような、クロマトグラム画像などを含む詳細な分析結果を得ることはできなかった。
【０００６】
【特許文献１】特開平１０−２１５４９４号公報
【特許文献２】特開平１０−３０８７３７号公報
【特許文献３】特開平１１−１２２２７６号公報
【発明の開示】
【発明が解決しようとする課題】
【０００７】
本発明は上記課題を解決するために成されたものであり、その目的とするところは、分析機器やそのデータ処理装置から離れた場所において、特別なアプリケーションソフトウエアを搭載しないパーソナルコンピュータを用いて詳細な分析結果を簡便に確認することができる機器分析用データ処理システムを提供することにある。
【課題を解決するための手段】
【０００８】
上記課題を解決するために成された本発明は、相互に通信可能なネットワークに接続され、各種の分析機器により収集されたデータを処理して分析結果を得る機器分析用データ処理システムであって、
a)分析結果のレポートをＨＴＭＬ文書として作成するレポート作成手段と、
b)前記ＨＴＭＬ文書に埋め込まれている画像データを登録しておくとともに前記ネットワークを介したアクセスに応じて前記画像データを送出する画像データ保存手段と、
c)前記ＨＴＭＬ文書を電子メールとして予め決められた電子メールアドレスに宛てて送信する電子メール送信手段と、
を備え、前記ネットワークを介して前記電子メールを受信したクライアント端末において該電子メールを閲覧する際に前記画像データ保存手段からの画像データのダウンロードにより画像データの埋め込まれた分析結果のレポートを閲覧可能としたことを特徴としている。
【０００９】
本発明に係る機器分析用データ処理システムにおいて、レポート作成手段、画像データ保存手段、及び電子メール送信手段は、同一の装置（例えばコンピュータ）に備えられる構成とすることもできるが、例えば画像データ保存手段は、レポート作成手段及び電子メール送信手段を備える装置とは別のコンピュータにより具現化されるＷＥＢサーバにより構成され、ネットワークを介した相互通信により画像データの送受が行われるようにしてもよい。
【００１０】
本発明の一実施態様として、前記分析機器はクロマトグラフ分析装置であって、前記画像データはクロマトグラムである構成とすることができる。
【００１１】
本発明に係る機器分析用データ処理システムでは、例えばクロマトグラフ分析装置により得られたデータに基づいてクロマトグラムが作成され、そのクロマトグラムを処理することで定性分析や定量分析が実行される。そうした分析結果が得られるとレポート作成手段は分析結果のレポートをＨＴＭＬ文書として作成する。ＨＴＭＬ文書では画像データはそのファイルの格納先のリンク情報として埋め込まれるから、画像データ保存手段での登録先のアドレス（ＷＥＢサーバであればＵＲＬ）が埋め込まれたものとなる。そして、電子メール送信手段はこのＨＴＭＬ文書を電子メールとして予め決められた電子メールアドレスに宛てて送信する。したがって、いわゆるＨＴＭＬメールが送信される。
【００１２】
上記電子メールはメールサーバを経由して、ネットワークに接続されている所定のクライアント端末により受信される。このクライアント端末にはＨＴＭＬメール対応の電子メールソフト（メーラ）が搭載されており、この電子メールソフトで上記電子メールを閲覧しようとすると、ＨＴＭＬ記述に従って画像データが格納されている画像データ保存手段に画像データの送信を要求し、画像データ保存手段はこの要求に応えて画像データを送信する。これにより画像データがクライアント端末にダウンロードされ、指定した位置に画像が貼り付けられたレポートがクライアント端末の画面上に表示されることになる。
【００１３】
上記ネットワークはイントラネット又はインターネットのいずれでもよい。
【００１４】
また画像データのファイル形式は特に問わないが、最も一般的なＨＴＭＬメール対応電子メールソフトで閲覧可能であることを前提とすると、ＰＮＧ（Portable Network Graphics）形式、或いはＧＩＦ（Graphic Interchange Format）形式などが適当である。また、閲覧側で画像の拡大表示などのより拡張性のある表示を行うには、ＳＶＧ（Scalable Vector Graphics）形式などのベクトル画像ファイルが適当である。この場合には、こうした画像ファイルを開くことができるソフトウエアをクライアント端末に搭載しておく必要がある。
【発明の効果】
【００１５】
本発明に係る機器分析用データ処理システムによれば、ＨＴＭＬ形式の電子メールを閲覧できる環境でありさえすれば、特別なアプリケーションソフトウエアがインストールされたコンピュータが手元になくても、分析担当者はどこに居てもクロマトグラム等の画像を含む詳細な分析結果を確認することができる。また、電子メールの送信宛先を複数にしておくことで、互いに離れている複数のクライアント端末で同時に所望の分析結果を見ることもできる。なお、送信した電子メールが閲覧される際には画像データ保存手段に対してアクセスがなされるため、画像データ保存手段側でアクセスの監視を行うことにより電子メールとして送信したレポートが閲覧されたか否かを確認することも可能である。
【発明を実施するための最良の形態】
【００１６】
以下、本発明に係る機器分析用データ処理システムの一実施例である液体クロマトグラフ（ＬＣ）分析システムについて図面を参照して説明する。
【００１７】
図１は本実施例によるＬＣ分析システムの全体構成図である。このＬＣ分析システムにおいて、分析部１、ＷＥＢサーバ２、送信用メールサーバ３は例えば同一会社内の閉じたイントラネット４に接続され、このイントラネット４は図示しないファイアウォールなどを介して外部のインターネット５に接続され、インターネット５にはクライアント端末６が接続されている。
【００１８】
分析部１は、試料に対してＬＣ分析を実行してデータを収集するＬＣ１１と、このＬＣ１１により得られたデータを受けて所定のデータ処理を実行するためのデータ処理装置１２とを含む。このデータ処理装置１２の実体はパーソナルコンピュータ（ＰＣ）であり、該ＰＣに搭載されている専用のアプリケーションソフトウエアを実行することにより通常のデータ処理機能のほかに、画像ファイル作成部１３、ＨＴＭＬファイル作成部１４、画像ファイル登録処理部１５、電子メール送信処理部１６などの各部の機能が実現される。
【００１９】
ＷＥＢサーバ２は専用のアプリケーションソフトウエアが搭載されたコンピュータであり、画像ファイル保存部２１と、ファイル読み書き処理部２２と、アクセス処理部２３と、を備える。またクライアント端末６は標準的なパーソナルコンピュータであり、ＨＴＭＬ形式で記述された電子メールを解読して表示可能なＨＴＭＬメール対応電子メールソフト６１を備える。こうした電子メールソフト６１としては、例えばマイクロソフト社が提供するアウトルック・エクスプレスなどが挙げられる。
【００２０】
次に、本実施例のＬＣ分析システムの動作を図２のフローチャートを参照して説明する。図２はデータ処理装置１２を中心とする処理動作を示すフローチャートである。
【００２１】
まず分析部１のＬＣ１１は所定の分析条件に従って分析を実行する（ステップＳ１０）。データ処理装置１２は分析により得られたデータを収集して、例えばクロマトグラムを作成し、そのクロマトグラムに基づいて定性分析、定量分析等のデータ処理を実行する（ステップＳ１１、Ｓ１２）。具体的には、クロマトグラムに対し波形処理を実行してピークを見い出し、各ピークの保持時間を求めてデータベースを参照して成分を定性する。さらにピークの高さや面積に基づいて成分濃度を定量する。こうしたデータ処理により、クロマトグラムやそのほかの画像が得られると、画像ファイル作成部１３は、そうした画像を標準的なＷＥＢブラウザで表示可能なファイル形式（例えばＰＮＧ（Portable Network Graphics）形式など）に変換した画像ファイルを作成する（ステップＳ１３）。
【００２２】
画像ファイルが作成されると、画像ファイル登録処理部１５はその画像ファイルをＷＥＢサーバ２に登録する（ステップＳ１４）。具体的には所定の規則に則って画像ファイルにファイル名（例えば［chromatogram1.png］）を付与し、ファイル読み書き処理部２２を介してＷＥＢサーバ２の画像ファイル保存部２１の規定のフォルダ（例えばimgフォルダ）に格納する。またＨＴＭＬファイル作成部１４は、上記画像ファイルを含む（つまり文書中に埋め込んだ）ＨＴＭＬ形式のレポートを、ＬＣ分析結果として作成する（ステップＳ１５）。このＨＴＭＬ文書において、画像ファイルはＷＥＢサーバ２の画像ファイル保存部２１への保存先つまりはリンク先アドレス情報として埋め込まれている。
【００２３】
電子メール送信処理部１６は作成されたＨＴＭＬ形式のレポートを内容とする電子メール（ＨＴＭＬメール）を作成し、予め設定されている電子メールアドレスに宛ててその電子メールを送信する（ステップＳ１６）。この電子メールはイントラネット４を介して一旦送信用メールサーバ３に保持され、そこで電子メールの送信先を特定して外部のインターネット５に含まれる送信先のメールサーバにその電子メールを送る。電子メールは送信先のメールサーバに一旦保持される。これで、データ処理装置１２としての動作は終了する。
【００２４】
ユーザーが手元のクライアント端末６でＨＴＭＬメール対応電子メールソフト６１を用いて上記メールサーバに蓄積されている電子メールをダウンロードして開くと、ＨＴＭＬの記述を解読し、画像のリンク先の記述に対応してＷＥＢサーバ２に画像データのダウンロードを要求する。すると、要求を受けたＷＥＢサーバ２のアクセス処理部２３は、画像ファイル保存部２１から該当する画像ファイルを読み出して要求元のクライアント端末６に送信する。
【００２５】
上記画像ファイルを受信したクライアント端末６において、電子メールソフト６１は、画像ファイルから画像を再現して、開いた電子メールの文書中の指定個所に貼り付ける。なお、電子メールソフト６１において自動的な画像のダウンロードがブロック（遮断）される設定になっている場合には、そのブロックを一時的に解除する操作をユーザーが行うことで、画像ファイルのダウンロードが実行されて表示画面上に画像が貼り付けられる。このようにしてクライアント端末６の表示画面上には例えば図３に示すような画面が表示される。
【００２６】
即ち、図３の例では、電子メールソフト６１を起動させることで表示される表示画面３０内に電子メールを格納するフォルダの一覧を表示するフォルダ一覧表示ウインドウ３１、例えば受信フォルダ内の格納されている電子メールの一覧を表示する電子メール一覧表示ウインドウ３２、電子メール一覧表示ウインドウ３２内で指定されている電子メールの内容を表示するプレビューウインドウ３３が配置されている。電子メール一覧表示ウインドウ３２内で、上述のように受信した電子メールが指定された状態では、プレビューウインドウ３３内にクロマトグラム等の画像３４が貼り付けられた電子メールの内容が表示されている。これにより、ユーザーは手元のクライアント端末６で詳細な分析結果、つまりレポートを確認することができる。
【００２７】
上記実施例では、クロマトグラム等の画像データをＰＮＧ形式の画像ファイルとして登録していたが、その以外のファイル形式でもよい。例えばＰＮＧ、ＧＩＦ、ＪＰＥＧ等のいわゆるビットマップ（ラスター）方式ではなく、ベクトル方式の画像データとしてもよい。具体的には、ＸＭＬ言語で記述されたＳＶＧ（Scalable Vector Graphics）ファイル形式などを用いることができる。この場合、一般的なＨＴＭＬメール対応電子メールソフト６１では画像を再現することができないが、例えばアドビ社が提供するＳＶＧビューワー等のプラグインソフトをクライアント端末６に導入することにより、電子メールを開いた際にＳＶＧファイルの画像を表示させることができる。なお、このＳＶＧを利用すれば、表示されたクロマトグラムの画像の拡大・縮小などが容易に行えるため利便性が高い。
【００２８】
また、上記実施例は一例であって、本発明の趣旨に沿った範囲で適宜変形や修正、追加を行っても本願特許請求の範囲に包含されることは明らかである。
【００２９】
例えば、上記実施例の構成では、データ処理装置１２、ＷＥＢサーバ２、送信用メールサーバ３がそれぞれ別のコンピュータにより具現化され、イントラネット４に接続されるようになっているが、例えばデータ処理装置１２とＷＥＢサーバ２とを同一のコンピュータで実現する等、その構成は適宜に変更できる。また、必要に応じて分析結果レポートの電子メールに分析結果等の画像データを添付して送信してもよい。また、インターネット５とは切り離して、例えば同一事業者内のイントラネット４に接続されたクライアント端末でのみ分析結果レポートの電子メールを受け取って閲覧できるようにしてもよい。また上記実施例では分析機器はＬＣであるが、ガスクロマトグラフ等の他の分析機器を用いたシステムに適用できることも当然である。
【図面の簡単な説明】
【００３０】
【図１】本発明の一実施例であるＬＣ分析システムの全体構成図。
【図２】図１のシステムにおけるデータ処理装置を中心とする動作を示すフローチャート。
【図３】クライアント端末で受信した電子メールを閲覧する際の表示画面の概略の一例を示す図。
【符号の説明】
【００３１】
１…分析部
１１…液体クロマトグラフ（ＬＣ）
１２…データ処理装置
１３…画像ファイル作成部
１４…ＨＴＭＬファイル作成部
１５…画像ファイル登録処理部
１６…電子メール送信処理部
２…ＷＥＢサーバ
２１…画像ファイル保存部
２２…ファイル読み書き処理部
２３…アクセス処理部
３…送信用メールサーバ
４…イントラネット
５…インターネット
６…クライアント端末
６１…ＨＴＭＬメール対応電子メールソフト
【図１】
2008005072.tif 000003
【図２】
2008005072.tif 000004
【図３】
2008005072.tif 000005